(57)【要約】【課題】マーキングミスをする虞れがなく、誰でも容易にマーキングすることが可能なパイプ用マーキング治具を提供する。  【解決手段】パイプ40の端部を差込自在な円弧状凹溝群１を有するパイプ受け部２と、凹溝群１に差し込まれたパイプ40の端面から所定の軸心方向位置の外周面にマーキングするための筆記具35を取着する筆記具取付部３と、を備える。また、円弧状凹溝群１は、筆記具取付部３寄りに同一接点Ｐを有する偏心円群に対応して形成されている。【選択図】図２
2007152513.tif 000002
【特許請求の範囲】
【請求項１】
パイプ（40）の端部を差込自在な円弧状凹溝群（１）を有するパイプ受け部（２）と、該凹溝群（１）に差し込まれた該パイプ（40）の端面から所定の軸心方向位置の外周面にマーキングするための筆記具（35）を取着する筆記具取付部（３）と、を備え、
上記円弧状凹溝群（１）は、上記筆記具取付部（３）寄りに同一接点（Ｐ）を有する偏心円群に対応して形成されていることを特徴とするパイプ用マーキング治具。
【請求項２】
上記円弧状凹溝群（１）は、最も上記筆記具取付部（３）寄りに配設されると共に上記同一接点（Ｐ）を通って複数種類の径の上記パイプ（40）で共用される共用溝（７）と、複数種類の径の該パイプ（40）に対応して形成されると共に少なくとも複数種類の深さに形成された径対応溝群（９）と、を有する請求項１記載のパイプ用マーキング治具。
【請求項３】
上記パイプ受け部（２）は、上記パイプ（40）の上記円弧状凹溝群（１）への差込状態において、該パイプ（40）の先端側面の一部が外側へ露出するように形成されている請求項１又は２記載のパイプ用マーキング治具。
【請求項４】
全体が一体ブロック状であって、上記筆記具取付部（３）は、上記パイプ受け部（２）から突設され、該筆記具取付部（３）の先端部には、上記筆記具（35）保持用の貫孔（５）が形成されている請求項１，２又は３記載のパイプ用マーキング治具。
【請求項５】
上記円弧状凹溝群（１）へ差込状態の該パイプ（40）の外周面と、該差込状態における上記筆記具取付部（３）のパイプ対向面（６）との間には、上記筆記具（35）の先端の位置確認用の隙間（Ｒ）が形成されている請求項１，２，３又は４記載のパイプ用マーキング治具。
【請求項６】
上記筆記具取付部（３）は、上記円弧状凹溝群（１）へ差込状態の上記パイプ（40）の外周面に対する上記筆記具（35）の先端位置を調整自在な位置調整手段（４）を有する請求項１，２，３，４又は５記載のパイプ用マーキング治具。
【発明の詳細な説明】
【技術分野】
【０００１】
本発明は、パイプ用マーキング治具に係り、より詳しくは、流体配管用パイプを管継手に接続する作業において使用されるパイプ用マーキング治具に関する。
【背景技術】
【０００２】
従来より、パイプの端部を管継手の接続孔に挿入してパイプと管継手とを接続する際には、パイプが管継手の接続孔の奥端面まで確実に入ったかどうかを確認できるようにするため、パイプの端面から所定の軸心方向位置の外周面にマーキングする作業を行っている。パイプへマーキングする際には、パイプ用マーキング治具が使用されている。
図９に於て、従来のパイプ用マーキング治具の一例を示す。従来のパイプ用マーキング治具45は、細長板部49を有する帯板状であり、細長板部49の先端には、パイプ40の端面に引っ掛けるための引掛部47が形成されていた。また、細長板部49には、引掛部47から所定の距離離れた位置に、切欠溝46が形成されていた。この切欠溝46は、径の異なる複数種類のパイプ40に対応して、複数設けられていた。そして、パイプ40の端面に引掛部47を引っ掛けると共に細長板部49をパイプ40の外周面に当接させ、筆記具48の先端を所定の切欠溝46に嵌め込んで、パイプ40に対してパイプ用マーキング治具45を相対的に回転移動させながら、マーキングしていた。
【０００３】
また、従来、図９に示したパイプ用マーキング治具45の他にも、種々の構造のパイプ用マーキング治具が提案されている（例えば、特許文献１参照）。
特許文献１には、パイプの端面に当接させる基板部と、基板部に連設されると共に基板部をパイプの端面に当接させた状態でパイプの外周面の周囲を回転可能なガイド板部と、筆記具を保持可能であると共にガイド板部に対しスライド自在で、かつ、ガイド板部と共にパイプの外周面の周囲を回転可能なペンホルダ部と、を備えたパイプ用マーキング治具が開示されている。
【特許文献１】特開２００４−９０１１６号公報
【発明の開示】
【発明が解決しようとする課題】
【０００４】
しかしながら、図９に示したような従来のパイプ用マーキング治具45では、切欠溝46が複数設けられていたので、使用するパイプ40に合った正しい切欠溝46を、注意して選択する必要があった。従って、暗い場所での作業や急ぎの作業を行う場合には、マーキングミスをする虞れがあった。
また、上述の図９や特許文献１のような従来のパイプ用マーキング治具は、パイプの外周面に当接させつつ、パイプに対して回転移動させる必要があったので、うまくマーキングするのに熟練を必要としていた。
そこで、本発明は、マーキングミスをする虞れがなく、誰でも容易にマーキングすることが可能なパイプ用マーキング治具を、提供することを目的とする。
【課題を解決するための手段】
【０００５】
上記の目的を達成するために、本発明に係るパイプ用マーキング治具は、パイプの端部を差込自在な円弧状凹溝群を有するパイプ受け部と、該凹溝群に差し込まれた該パイプの端面から所定の軸心方向位置の外周面にマーキングするための筆記具を取着する筆記具取付部と、を備え、上記円弧状凹溝群は、上記筆記具取付部寄りに同一接点を有する偏心円群に対応して形成されている。
また、上記円弧状凹溝群は、最も上記筆記具取付部寄りに配設されると共に上記同一接点を通って複数種類の径の上記パイプで共用される共用溝と、複数種類の径の該パイプに対応して形成されると共に少なくとも複数種類の深さに形成された径対応溝群と、を有する。
【０００６】
また、上記パイプ受け部は、上記パイプの上記円弧状凹溝群への差込状態において、該パイプの先端側面の一部が外側へ露出するように形成されている。
また、全体が一体ブロック状であって、上記筆記具取付部は、上記パイプ受け部から突設され、該筆記具取付部の先端部には、上記筆記具保持用の貫孔が形成されている。
また、上記円弧状凹溝群へ差込状態の該パイプの外周面と、該差込状態における上記筆記具取付部のパイプ対向面との間には、上記筆記具の先端の位置確認用の隙間が形成されている。
また、上記筆記具取付部は、上記円弧状凹溝群へ差込状態の上記パイプの外周面に対する上記筆記具の先端位置を調整自在な位置調整手段を有する。
【発明の効果】
【０００７】
本発明は、次のような著大な効果を奏する。
本発明に係るパイプ用マーキング治具は、パイプと筆記具の相対位置を一定に保ったまま、パイプ差込深さを示すラインを描くことができる。また、筒状のパイプの円弧状凹溝群への差込状態において、パイプと筆記具の相対位置を一定に保ちつつ、パイプ用マーキング治具をパイプの軸心廻りに容易に回転させることができる。従って、マーキングを容易に行うことができる。
また、熟練を必要とせずに、所定径のパイプに対して正しいマーキング位置を選択できるので、マーキングミスをする虞れがない。
また、筆記具の位置調整を行わずに径の異なる複数種類のパイプに容易にマーキングできる。
【０００８】
また、共用溝と一つの径対応溝の二つの溝にて、パイプを確実に保持でき、パイプ受け部をコンパクトにできる。
また、目視でパイプが円弧状凹溝群の溝底に当接したことを側方から確実に確認でき、マーキングミスを防ぐことができる。
また、部品点数が少なく、構造が簡単であり、製造コストを低く抑えることができる。  また、筆記具の先端の位置を確認しながら確実にマーキングを行うことができる。
また、パイプへのマーキングの繰り返しにより筆記具の先端がすり減る等して、円弧状凹溝群へ差込状態のパイプの外周面と筆記具の先端との距離が微小変化する場合に、容易に対応することができる。また、筆記具のパイプの外周面に対する筆圧を容易に変更できるので、描くラインの太さや濃さ等を容易に調整できる。
【発明を実施するための最良の形態】
【０００９】
以下、実施の形態を示す図面に基づき、本発明を詳説する。
図１〜図４に於て、本発明の実施の一形態に係るパイプ用マーキング治具は、樹脂製であり、全体が一体ブロック状となっている。このパイプ用マーキング治具は、円筒状のパイプ40の端部を差込自在な円弧状凹溝群１を有する略直方体状のパイプ受け部２と、凹溝群１に差し込まれたパイプ40の端面から所定の軸心方向位置の外周面にマーキングするための筆記具35を取着する略直方体状の筆記具取付部３と、を備えている。
なお、本実施形態では、パイプ受け部２の表面のうちパイプ40が円弧状凹溝群１に差し込まれる面側を正面側として、以下の説明を行なう。
【００１０】
パイプ受け部２の左右の側面２ａ，２ｂは、図４に示すように、正面視で平行となっている。なお、この左右側面２ａ，２ｂが線対称の位置となるように、左右側面２ａ，２ｂ間に引かれた仮想直線をＡとする。
パイプ受け部２の円弧状凹溝群１は、筆記具取付部３寄りに同一接点Ｐを有すると共に相互に径の異なる偏心円群に対応して形成されている。この偏心円群は、偏心円群を構成する各円14の中心が接点Ｐを通る上述の直線Ａ上に並ぶようになっている（なお、図４では、偏心円群を構成する全ての円14…のうち、数個のみが描かれている）。
円弧状凹溝群１について詳しく説明すると、この円弧状凹溝群１は、図３及び図４に示すように、最も筆記具取付部３寄りに配設されると共に同一接点Ｐを通って複数種類の径のパイプ40で共用される円弧状の共用溝７と、複数種類の径のパイプ40に対応して形成されると共に少なくとも複数種類の深さに形成された径対応溝群９と、を有している。
共用溝７は、径対応溝群９側に凹状となるように形成されている。共用溝７の深さは、使用可能な複数種類の径のパイプ40…のうち、マーキング位置が端面から最も離れた位置となるものに合わせて形成されている。
【００１１】
径対応溝群９は、共用溝７側に凹状となるように形成されている。本実施形態では、径対応溝群９は、七つの円弧状の径対応溝８…から成っている（共用溝７に近いものから順に、８ａ，８ｂ，８ｃ，８ｄ，８ｅ，８ｆ，８ｇとする）。
また、本実施形態では、七つの径対応溝８…のうちいずれか一つと、共用溝７とが一組とされ、この一組に所定の径のパイプ40が差し込まれるようになっている。つまり、本実施形態では、七つの径のパイプ40に対応可能とされている。
また、径対応溝８…は、共用溝７から離れるにつれて順にアールが大きくなって、より大きい径のパイプ40に対応できるようになっている。即ち、共用溝７に最も近い径対応溝８ａと共用溝７には、最も径の小さいパイプ40ａが差し込まれ、共用溝７から最も遠い径対応溝８ｇと共用溝７には、最も径の大きいパイプ40ｇが差し込まれるようになっている。
また、径対応溝８…は、深さが全て同一というわけではなく、パイプ40の径に対応して相違している。具体的には、径対応溝８…は深さの相違により、８ａ，８ｂ，８ｃと、８ｄ，８ｅ，８ｆと、８ｇとの三つのグループに分けられる。このうち、８ａ，８ｂ，８ｃが一番深さが浅く、８ｄ，８ｅ，８ｆが中間の深さ、そして、８ｇが最も深くなっている。径対応溝８ｇの深さは、共用溝７の深さと同一に設定されている。
【００１２】
上述した形状の円弧状凹溝群１に差し込まれるパイプ40は、正面視でパイプ受け部２の左右の厚み（左右の側面２ａ，２ｂ間の距離）よりも径が小さい場合と大きい場合とがある。本実施形態では、図２及び図４に示すように、パイプ受け部２の左右の厚みより径の小さいパイプ40が、対応溝８ａ，８ｂ，８ｃのいずれかに差し込まれるようになっている。また、パイプ受け部２の左右の厚みよりも径の大きいパイプ40が、径対応溝８ｄ，８ｅ，８ｆ，８ｇのいずれかに差し込まれるようになっている。
【００１３】
ここで、本実施形態では、パイプ受け部２の左右の厚みよりも径が小さい場合と大きい場合のどちらの場合にも、パイプ40の円弧状凹溝群１への差込状態において、パイプ40の先端側面の一部が外側へ露出するように、パイプ受け部２が形成されている。
具体的に説明すると、パイプ受け部２の左右の厚みよりもパイプ40の径が大きい場合、パイプ受け部２の側面２ａ，２ｂは、正面視でパイプ40を横断するようになっている。そして、パイプ40の側面２ａ，２ｂよりも外側の部分が、露出状態となるように構成されている。
また、正面視でパイプ受け部２の左右の厚みよりもパイプ40の径が小さい場合は、円弧径対応溝８ａ（８ｂ，８ｃ）の内壁面を形成する正面視三日月型の溝壁部15（16，17）の頂点部15ａ（16ａ，17ａ）と、共用溝７の内壁面を形成する正面視墨付括弧型の溝壁部11の頂点部11ａとの間に生じた隙間において、パイプ40の先端側面が露出状態となるように構成されている。
【００１４】
次に、筆記具取付部３について説明する。この筆記具取付部３は、図１〜図３に示すように、パイプ受け部２から突設されており、筆記具取付部３の先端部には、筆記具35保持用の貫孔５が形成されている。筆記具35には、例えば、一般の文房具店で売られ、油性インクを使用したフェルトペン，ボールペン等のペン36が使用される。貫孔５は、筆記具35の先端部35ａの形状に合わせて形成されている。
また、筆記具取付部３は、円弧状凹溝群１へ差込状態のパイプ40の外周面に対する筆記具35の先端位置を調整自在な位置調整手段４を有している。
位置調整手段４は、貫孔５の軸心方向に直交するように筆記具取付部３に設けられたねじ孔12と、ねじ孔12に螺進退自在に螺合する調整ボルト13と、から成る。この調整ボルト13の先端にて、貫孔５に挿入された筆記具35の先端部35ａは押圧されて、筆記具35の固定が行われるようになっている。
【００１５】
また、図２に示すように、筆記具取付部３の表面のうち、パイプ40の差込状態でパイプ40と対向する側となるパイプ対向面６は、正面視で直線Ａに直交状となっている。そして、円弧状凹溝群１へ差込状態のパイプ40の外周面と、差込状態における筆記具取付部３のパイプ対向面６との間には、筆記具35の先端の位置確認用の隙間Ｒが形成されるようになっている。
【００１６】
次に、図５〜図７に於て、本発明の実施の一形態に係るパイプ用マーキング治具の作用（使用方法）について説明する。
まず、図５は、使用可能な複数種類の径のパイプ40…のうち、最も径の大きいパイプ40ｇを円弧状凹溝群１（より詳しくは、共用溝７と径対応溝８ｇ）に奥まで差込むと共に、油性のペン36等の筆記具35を筆記具取付部３に取着した場合を示している。この場合、パイプ40ｇの先端側面の一部が外側へ露出した露出領域Ｇが形成される。これにより、パイプ40ｇの先端位置を側面２ａ側から確認できる。また、円弧状凹溝群１（共用溝７，径対応溝８ｇ）の深さは十分深く設定されているので、差込状態でパイプ40ｇに対してパイプ用マーキング治具ががたつくことはない。
そして、差込状態からパイプ用マーキング治具を回転させる（図５の矢印Ｆ方向）と、パイプ40ｇの先端から筆記具35の先端まで所定の距離Ｌ1 となる位置でマーキングされ、ライン50が引かれる。この際、パイプ40ｇの外周面と筆記具取付部３のパイプ対向面６との間に形成された隙間Ｒから筆記具35の先端がパイプ40ｇの外周面にしっかり当接しているかどうか容易に確認できる。
【００１７】
次に、図６は、使用可能な複数種類の径のパイプ40…のうち、最も径の小さいパイプ40ａを円弧状凹溝群１（より詳しくは、共用溝７と径対応溝８ａ）に奥まで差込むと共に、油性のペン36等の筆記具35を筆記具取付部３に取着した場合を示している。この場合、パイプ40ａの先端側面の一部が外側へ露出した露出領域Ｉが形成される。これにより、パイプ40ａの先端位置を側面２ａ側から確認できる。また、円弧状凹溝群１（共用溝７，径対応溝８ａ）の深さは十分深く設定されているので、差込状態でパイプ40ａに対してパイプ用マーキング治具ががたつくことはない。
そして、差込状態からパイプ用マーキング治具を回転させる（図６の矢印Ｈ方向）と、パイプ40ａの先端から筆記具35の先端まで所定の距離Ｌ2 となる位置でマーキングされ、ライン50が引かれる。この際、パイプ40ａの外周面と筆記具取付部３のパイプ対向面６との間に形成された隙間Ｒから筆記具35の先端がパイプ40ａの外周面にしっかり当接しているかどうか容易に確認できる。
【００１８】
また、図７に示すように、パイプ40へのマーキングの繰り返しにより筆記具35の先端がすり減る等して（図７の二点鎖線の部分参照）、筆記具35の先端がパイプ40の外周面に当接しないようになった場合は、位置調整手段４の調整ボルト13を緩め、筆記具35の先端がパイプ40の外周面に当接するまで筆記具35を移動させた後、調整ボルト13を締めなおすようにする。また、描かれるライン50の太さや濃さ等を変えたい場合にも、調整ボルト13を緩め、筆記具35を移動させて、筆記具35のパイプ40の外周面に対する筆圧を変更すればよい。
【００１９】
次に、図８は、パイプ用マーキング治具の筆記具取付部３に取着する筆記具35として、ペン36ではなくけがき針37を使用する場合を例示している。けがき針37は、ペン36と異なりパイプ40の外周面に傷をつけてラインを描くものであるが、ラインを描くことによる効果はペン36の場合と同様である。また、パイプ用マーキング治具の使用方法も、筆記具35をペン36として説明した上述のパイプ用マーキング治具の使用方法と同様である。
【００２０】
なお、本発明は、上述の実施の形態に限定されず、本発明の要旨を逸脱しない範囲で設計変更可能である。例えば、本実施形態では、径対応溝群９が複数種類の深さに形成されている場合を例示したが、本発明はこれに限らず、径対応溝群を構成する全ての径対応溝を同一深さに形成される場合もあり得る。
また、本実施形態では、パイプ用マーキング治具の全体が一体ブロック状となっている場合を例示したが、本発明はこれに限らず、パイプ用マーキング治具のパイプ受け部と筆記具取付部とを別部材で構成して、ボルトやリベット等で固着連結したり、接着等で一体化してもよい。
また、本実施形態では、位置調整手段４は、貫孔５の軸心方向に直交するように筆記具取付部３に設けられたねじ孔12と、ねじ孔12に螺進退自在に螺合する調整ボルト13と、から成る場合を例示したが、本発明はこれに限らず、他の構造でもって筆記具の先端位置を調整自在としてもよい。例えば、筆記具保持用の貫孔を単なる孔ではなくねじ孔とし、筆記具の先端部に、貫孔（ねじ孔）に螺進退自在に螺合する雄ねじ部を外周面に有する筒状のキャップを取付けるようにするも好ましい。
また、筆記具35には、ペン36やけがき針37の他に、鉛筆等が挙げられる。
【００２１】
以上のように、本発明に係るパイプ用マーキング治具は、パイプ40の端部を差込自在な円弧状凹溝群１を有するパイプ受け部２と、凹溝群１に差し込まれたパイプ40の端面から所定の軸心方向位置の外周面にマーキングするための筆記具35を取着する筆記具取付部３と、を備え、円弧状凹溝群１は、筆記具取付部３寄りに同一接点Ｐを有する偏心円群に対応して形成されているので、パイプ40と筆記具35の相対位置（筆記具35のパイプ40の端面から筆記具35の先端までの距離、及び、パイプ40の外周面から筆記具35の先端までの距離）を一定に保ったまま、パイプ差込深さを示すライン50を描くことができる。また、（円筒状の）パイプ40の端部が円弧状凹溝群１に差し込まれるので、パイプ40の円弧状凹溝群１への差込状態において、パイプ40と筆記具35の相対位置を一定に保ちつつ、パイプ用マーキング治具をパイプ40の軸心廻りに容易に回転させることができる。従って、マーキングを容易に行うことができる。  
【００２２】
また、円弧状凹溝群１は、相互に径の異なる偏心円群に対応して形成されているので、  所定径のパイプ40と、所定の円弧状凹溝群１（共用溝７及び所定の径対応溝８）とを確実に対応させて、正しい組み合わせの場合のみ、パイプ40を楽に円弧状凹溝群１に差込むことができる。これにより、熟練を必要とせずに、所定径のパイプ40に対して正しいマーキング位置を選択できるので、マーキングミスをする虞れがない。
また、円弧状凹溝群１へ種々の径のパイプ40を差し込んでも、差込状態のパイプ40は、径の大小に関係なく常に同一接点Ｐの近傍を通るようにできる。これにより、円弧状凹溝群１へ差込状態のパイプ40の外周面と、筆記具取付部３に取着された筆記具35の先端との距離を、パイプ40の径の大小に関係なく、一定に保つことができるので、筆記具35の位置調整を行わずに径の異なる複数種類のパイプ40に容易にマーキングできる。
【００２３】
また、円弧状凹溝群１は、最も上記筆記具取付部３寄りに配設されると共に同一接点Ｐを通って複数種類の径のパイプ40で共用される共用溝７と、複数種類の径のパイプ40に対応して形成されると共に少なくとも複数種類の深さに形成された径対応溝群９と、を有するので、共用溝７と一つの径対応溝８との二つの溝にて、パイプ40を確実に保持できる。また、複数種類の径のパイプ40で共用溝７を共用するので、円弧状凹溝群１の形状に無駄がなく、パイプ受け部２をコンパクトにできる。
また、径対応溝群９は、複数種類の深さに形成されているので、パイプ40の径でだけでなく、パイプ40の端面からマーキング位置までの距離をパイプ40の種類に応じて変更できる。
【００２４】
また、パイプ受け部２は、パイプ40の円弧状凹溝群１への差込状態において、パイプ40の先端側面の一部が外側へ露出するように形成されているので、目視でパイプが円弧状凹溝群１の溝底に当接したことを側方から確実に確認でき、マーキングミスを防ぐことができる。
【００２５】
また、全体が一体ブロック状であって、筆記具取付部３は、パイプ受け部２から突設され、筆記具取付部３の先端部には、筆記具35保持用の貫孔５が形成されているので、筆記具取付部３とパイプ受け部２とを別部材で構成する場合と比較して、部品点数が少ない分、製造コストを低く抑えることができる。また、貫孔５にて筆記具35を保持するようになっているので、構造が簡単である。
【００２６】
また、円弧状凹溝群１へ差込状態のパイプ40の外周面と、差込状態における筆記具取付部３のパイプ対向面６との間には、筆記具35の先端の位置確認用の隙間Ｒが形成されているので、筆記具35の先端の位置を確認しながら確実にマーキングすることができる。
【００２７】
また、筆記具取付部３は、円弧状凹溝群１へ差込状態のパイプ40の外周面に対する筆記具35の先端位置を調整自在な位置調整手段４を有するので、パイプ40へのマーキングの繰り返しにより筆記具35の先端がすり減る等して、円弧状凹溝群１へ差込状態のパイプ40の外周面と筆記具35の先端との距離が微小変化する場合に、容易に対応することができる。また、筆記具35のパイプ40の外周面に対する筆圧を容易に変更できるので、描くライン50の太さや濃さ等を容易に調整できる。
【図面の簡単な説明】
【００２８】
【図１】本発明の実施の一形態に係るパイプ用マーキング治具を示す側面図である。
【図２】一部破断正面図である。
【図３】図２のＥ−Ｅ線断面図である。
【図４】図１のＣ−Ｃ線断面図である。
【図５】使用状態示す一部破断側面図である。
【図６】使用状態示す一部破断側面図である。
【図７】位置調整手段を説明するための要部断面正面図である。
【図８】他の筆記具をパイプ受け部に取着した場合を示す一部破断側面図である。
【図９】従来のマーキング治具を説明するための側面図である。
【符号の説明】
【００２９】
１  円弧状凹溝群
２  パイプ受け部
３  筆記具取付部
４  位置調整手段
５  貫孔
６  パイプ対向面
７  共用溝
９  径対応溝群
35  筆記具
40  パイプ
Ｐ  接点
Ｒ  隙間
【図１】
2007152513.tif 000003
【図２】
2007152513.tif 000004
【図３】
2007152513.tif 000005
【図４】
2007152513.tif 000006
【図５】
2007152513.tif 000007
【図６】
2007152513.tif 000008
【図７】
2007152513.tif 000009
【図８】
2007152513.tif 000010
【図９】
2007152513.tif 000011